(57)【特許請求の範囲】
【請求項１】
外枠に対して中枠を開閉および着脱可能に組み付けると共に、中枠に対して前枠を開閉および着脱可能に組み付けて遊技に供される遊技機において、
前記中枠の左端部に配設された板状のベース部材と、
前記ベース部材の上面前側に設けられて上方および後方へ開口する第１軸孔を有し、前記外枠に設けられて下向きに突出する第１支軸を該第１軸孔に軸支する第１軸受け部と、
前記ベース部材の下面前側に設けられて下方および後方へ開口する第２軸孔を有し、前記前枠に設けられて上向きに突出する第２支軸を該第２軸孔に軸支する第２軸受け部と、
前記ベース部材の上面側に枢支軸を介して回動可能に配設されて、回動により前記第１軸孔の後方開口に対する閉鎖位置および開放位置の間を変位する第１開閉レバー部材と、
前記第１開閉レバー部材の左側縁部に形成され、前記ベース部材の上面左外端および第１軸受け部の間に前記第１支軸を受け入れ可能な第１軸受入口を画成し、該第１軸受入口を介して受け入れた第１支軸により第１開閉レバー部材を閉鎖位置から開放位置へ変位させる第１案内面と、
前記枢支軸を介してベース部材の下面側に回動可能に配設され、回動により前記第２軸孔の後方開口に対する閉鎖位置および開放位置の間を変位する第２開閉レバー部材と、
前記第２開閉レバー部材の前側縁部に形成され、前記ベース部材の下面右外端および第２軸受け部の間に前記第２支軸を受け入れ可能な第２軸受入口を画成し、該第２軸受入口を介して受け入れた前記第２支軸により前記第２開閉レバー部材を閉鎖位置から開放位置へ変位させる第２案内面と、
前記第２開閉レバー部材に設けられて上方に突出する突起部と、
前記ベース部材に上下に貫通するよう形成されて前記突起部が挿入され、前記第２開閉レバー部材の閉鎖位置および開放位置の間の変位に伴った突起部の移動を許容する第１ガイド孔と、
前記第１開閉レバー部材に上下に貫通するよう形成されて前記突起部が挿入され、前記第１開閉レバー部材の閉鎖位置および開放位置の間の変位に伴った突起部の移動を許容する第２ガイド孔と、
前記第１開閉レバー部材に設けられた係止部および前記突起部に係止され、前記第１開閉レバー部材および第２開閉レバー部材の夫々を、相互に逆方向となる対応の閉鎖位置へ向けて付勢する付勢部材とを備え、
前記第１軸受入口から受け入れた前記外枠の第１支軸により閉鎖位置にある前記第１開閉レバー部材を開放位置に変位させて第１軸孔の後方開口を開放し、開放した第１軸孔の後方開口を介して第１支軸が第１軸孔へ進入することにより、付勢部材の付勢により第１開閉レバー部材が閉鎖位置に復帰して第１軸孔に第１支軸を軸支し、
前記第２軸受入口から受け入れた前記前枠の第２支軸により閉鎖位置にある前記第２開閉レバー部材を開放位置に変位させて第２軸孔の後方開口を開放し、開放した第２軸孔の後方開口を介して第２支軸が第２軸孔に進入することにより、付勢部材の付勢により第２開閉レバー部材が閉鎖位置に復帰して第２軸孔に第２支軸を軸支するよう構成した
ことを特徴とする遊技機における開閉連結装置。
【請求項２】
外枠に対して中枠を開閉および着脱可能に組み付けると共に、中枠に対して前枠を開閉および着脱可能に組み付けて遊技に供される遊技機において、
前記中枠の左端部に配設された板状のベース部材と、
前記ベース部材の上面前側に設けられて上方および後方へ開口する第１軸孔を有し、前記外枠に設けられて下向きに突出する第１支軸を該第１軸孔に軸支する第１軸受け部と、
前記ベース部材の下面前側に設けられて下方および後方へ開口する第２軸孔を有し、前記前枠に設けられて上向きに突出する第２支軸を該第２軸孔に軸支する第２軸受け部と、
前記ベース部材の上面側に枢支軸を介して回動可能に配設されて、回動により前記第１軸孔の後方開口に対する閉鎖位置および開放位置の間を変位する第１開閉レバー部材と、
前記第１開閉レバー部材の左側縁部に形成され、前記ベース部材の上面左外端および第１軸受け部の間に前記第１支軸を受け入れ可能な第１軸受入口を画成し、該第１軸受入口を介して受け入れた第１支軸により第１開閉レバー部材を閉鎖位置から開放位置へ変位させる第１案内面と、
前記第１開閉レバー部材に設けられて下方に突出する第２の突起部と、
前記枢支軸を介してベース部材の下面側に回動可能に配設され、回動により前記第２軸孔の後方開口に対する閉鎖位置および開放位置の間を変位する第２開閉レバー部材と、
前記第２開閉レバー部材の前側縁部に形成され、前記ベース部材の下面右外端および第２軸受け部の間に前記第２支軸を受け入れ可能な第２軸受入口を画成し、該第２軸受入口を介して受け入れた前記第２支軸により前記第２開閉レバー部材を閉鎖位置から開放位置へ変位させる第２案内面と、
前記ベース部材に上下に貫通するよう形成されて前記第２の突起部が挿入され、前記第１開閉レバー部材の閉鎖位置および開放位置の間の変位に伴った第２の突起部の移動を許容する第１ガイド孔と、
前記第２開閉レバー部材に上下に貫通するよう形成されて前記第２の突起部が挿入され、前記第２開閉レバー部材の閉鎖位置および開放位置の間の変位に伴った第２の突起部の移動を許容する第３ガイド孔と、
前記第２開閉レバー部材に設けられた第２の係止部および前記第２の突起部に係止され、前記第１開閉レバー部材および第２開閉レバー部材の夫々を、相互に逆方向となる対応の閉鎖位置へ向けて付勢する付勢部材とを備え、
前記第１軸受入口から受け入れた前記外枠の第１支軸により閉鎖位置にある前記第１開閉レバー部材を開放位置に変位させて第１軸孔の後方開口を開放し、開放した第１軸孔の後方開口を介して第１支軸が第１軸孔へ進入することにより、付勢部材の付勢により第１開閉レバー部材が閉鎖位置に復帰して第１軸孔に第１支軸を軸支し、
前記第２軸受入口から受け入れた前記前枠の第２支軸により閉鎖位置にある前記第２開閉レバー部材を開放位置に変位させて第２軸孔の後方開口を開放し、開放した第２軸孔の後方開口を介して第２支軸が第２軸孔に進入することにより、付勢部材の付勢により第２開閉レバー部材が閉鎖位置に復帰して第２軸孔に第２支軸を軸支するよう構成した
ことを特徴とする遊技機における開閉連結装置。
【発明の詳細な説明】
【技術分野】
【０００１】
本発明は、遊技機における開閉連結装置に関し、より詳細には、外枠に対して中枠を開閉および着脱可能に組み付けると共に、中枠に対して前枠を開閉および着脱可能に組み付けて遊技に供される遊技機に設けられる開閉連結装置に関するものである。
【背景技術】
【０００２】
パチンコ機やアレンジボール機に代表されるこの種の遊技機では、縦長方形の外枠の開口前面側に、各種の必要な遊技構成部材が搭載されて遊技盤を収容セットした中枠を開閉(横開き)および着脱可能に組み付けると共に、遊技盤を透視保護するガラス板を組み付けた前枠を中枠に対して開閉(横開き)および着脱可能に組み付けて１台単位で構成される。そして、製造工場内等に保管されたり出荷(運送)される場合には、前述した機体単位で縦向きまたは横向きの姿勢で取扱われ、一方遊技店内の設置枠台(所謂「島」)に設置される場合には、外枠を所定の縦向き傾斜姿勢で固定保持させたもとで、中枠および前枠を組み付けセットして遊技に供される。
【０００３】
前述した遊技機にあって、機体を構成する外枠と中枠、および中枠と前枠の組み付けに係る連結手段については、最も一般化されている形式として軸を孔に嵌挿して連結する構成が多用されている。しかし、このような機体の組み付け作業にあっては、案外煩雑を伴って時間が掛かると共に、中枠全体がかなり重いことから相当な重労働となる。そこで、遊技機の組み付け作業の簡易化、容易化を図るため、特許文献１に開示されるロックレバー式の連結装置が提案されている。この連結装置は、外枠に、下向きに突出する支軸を配設するのに対し、中枠に配設した受け具に、側面に開口して支軸を横向きに嵌合・離脱し得る軸孔を形成した軸支部を配設すると共に、軸孔の閉鎖位置と開放位置とに往復変位可能なロック部材を旋回動可能に配設して構成される。そして、外枠と中枠との組み付けに際しては、両手で中枠全体を支えながら外枠の支軸に中枠のロック部材を押付けて、該ロック部材を閉鎖位置から開放位置に変位させることで、支軸を軸孔に嵌合させるようになっている。
【０００４】
一方、中枠に対して前枠を組み付ける技術としては、特許文献２に開示されるスライドピン式の連結装置が提案されている。この連結装置は、前枠に、上下にスライド可能で常にはスプリングにより上方に突出すよう付勢されるスライドピンが配設されると共に、中枠に、スライドピンが挿脱可能な軸孔が設けられている。そして、中枠と前枠との組み付けに際しては、前枠のスライドピンを手で押し下げながら前枠を中枠にあてがって、スライドピンと軸孔とを位置合わせしたもとで、スライドピンを軸孔に挿入するようになっている。
【特許文献１】特開平１１−１３７８０５号公報
【特許文献２】特開２００５−３７９号公報
【発明の開示】
【発明が解決しようとする課題】
【０００５】
特許文献１に開示の前記連結装置によれば、外枠に中枠を組み付けるに際しては、両手で中枠全体を支えながら行なうことができ、作業者の個体差に拘らず手早く楽に組み付け作業を行なうことができる。
【０００６】
しかしながら、特許文献２に開示の前記連結装置では、中枠に前枠を組み付けるに際しては、前述したようにスライドピンを手で押し下げた状態で前枠を支えながらスライドピンを軸孔に挿入しなければならず、両手で前枠を支えながら連結することができない。また、軸孔の孔径とスライドピンの軸径とは、ガタツキ防止のため略同寸法に設定されており、それ故に、スライドピンと軸孔とを位置合わせして挿入する作業に手間が掛かる問題がある。更に、スライドピンは、上下に可動する機構であるため、スライドピンが途中で引っ掛かって上方に完全に突出しないこともあり、組み付けが不完全になるおそれがある。しかも、スライドピンが可動式で機構が複雑となるため、近年の重くなった前枠を支えるのには、強度が不足すると云った問題も指摘される。
【０００７】
すなわち、本発明は、前述した従来の技術に内在している前記課題に鑑み、これを好適に解決するべく提案されたものであって、外枠に対して中枠を簡単・確実に組み付けし得ると共に、中枠に対して前枠を簡単・確実に組み付けし得る遊技機における開閉連結装置を提供することを目的とする。
【課題を解決するための手段】
【０００８】
前記課題を克服し、所期の目的を達成するため、請求項１の発明に係る遊技機における開閉連結装置は、
外枠(11)に対して中枠(12)を開閉および着脱可能に組み付けると共に、中枠(12)に対して前枠(13)を開閉および着脱可能に組み付けて遊技に供される遊技機において、
前記中枠(12)の左端部に配設された板状のベース部材(52)と、
前記ベース部材(52)の上面前側に設けられて上方および後方へ開口する第１軸孔(57)を有し、前記外枠(11)に設けられて下向きに突出する第１支軸(42)を該第１軸孔(57)に軸支する第１軸受け部(56)と、
前記ベース部材(52)の下面前側に設けられて下方および後方へ開口する第２軸孔(59)を有し、前記前枠(13)に設けられて上向きに突出する第２支軸(44)を該第２軸孔(59)に軸支する第２軸受け部(58)と、
前記ベース部材(52)の上面側に枢支軸(71a)を介して回動可能に配設されて、回動により前記第１軸孔(57)の後方開口(57a)に対する閉鎖位置および開放位置の間を変位する第１開閉レバー部材(62)と、
前記第１開閉レバー部材(62)の左側縁部に形成され、前記ベース部材(52)の上面左外端および第１軸受け部(56)の間に前記第１支軸(42)を受け入れ可能な第１軸受入口(68)を画成し、該第１軸受入口(68)を介して受け入れた第１支軸(42)により第１開閉レバー部材(62)を閉鎖位置から開放位置へ変位させる第１案内面(65)と、
前記枢支軸(71a)を介してベース部材(52)の下面側に回動可能に配設され、回動により前記第２軸孔(59)の後方開口(59a)に対する閉鎖位置および開放位置の間を変位する第２開閉レバー部材(70)と、
前記第２開閉レバー部材(70)の前側縁部に形成され、前記ベース部材(52)の下面右外端および第２軸受け部(58)の間に前記第２支軸(44)を受け入れ可能な第２軸受入口(76)を画成し、該第２軸受入口(76)を介して受け入れた前記第２支軸(44)により前記第２開閉レバー部材(70)を閉鎖位置から開放位置へ変位させる第２案内面(73)と、
前記第２開閉レバー部材(70)に設けられて上方に突出する突起部(71b)と、
前記ベース部材(52)に上下に貫通するよう形成されて前記突起部(71b)が挿入され、前記第２開閉レバー部材(70)の閉鎖位置および開放位置の間の変位に伴った突起部(71b)の移動を許容する第１ガイド孔(53c)と、
前記第１開閉レバー部材(62)に上下に貫通するよう形成されて前記突起部(71b)が挿入され、前記第１開閉レバー部材(62)の閉鎖位置および開放位置の間の変位に伴った突起部(71b)の移動を許容する第２ガイド孔(63b)と、
前記第１開閉レバー部材(62)に設けられた係止部(63c)および前記突起部(71b)に係止され、前記第１開閉レバー部材(62)および第２開閉レバー部材(70)の夫々を、相互に逆方向となる対応の閉鎖位置へ向けて付勢する付勢部材(78)とを備え、
前記第１軸受入口(68)から受け入れた前記外枠(11)の第１支軸(42)により閉鎖位置にある前記第１開閉レバー部材(62)を開放位置に変位させて第１軸孔(57)の後方開口(57a)を開放し、開放した第１軸孔(57)の後方開口(57a)を介して第１支軸(42)が第１軸孔(57)へ進入することにより、付勢部材(78)の付勢により第１開閉レバー部材(62)が閉鎖位置に復帰して第１軸孔(57)に第１支軸(42)を軸支し、
前記第２軸受入口(76)から受け入れた前記前枠(13)の第２支軸(44)により閉鎖位置にある前記第２開閉レバー部材(70)を開放位置に変位させて第２軸孔(59)の後方開口(59a)を開放し、開放した第２軸孔(59)の後方開口(59a)を介して第２支軸(44)が第２軸孔(59)に進入することにより、付勢部材(78)の付勢により第２開閉レバー部材(70)が閉鎖位置に復帰して第２軸孔(59)に第２支軸(44)を軸支するよう構成したことを要旨とする。
【０００９】
請求項１に係る発明では、中枠に対して前枠を組み付ける連結構造を、外枠に対して中枠を組み付ける連結構造と同様のロックレバー式にしたので、中枠に対する前枠の組み付けも簡単で、確実な組み付けが達成できる。また、前枠に設けられる第２支軸を固定式とし得るから、強度が増し、重量のある前枠を安定して支持することができる。更に、第１および第２開閉レバー部材を閉鎖位置に付勢する付勢部材および枢支軸を共通化したから、部品点数およびコストを低減し得ると共に、装置の小型化を図り得る。
【００１０】
前記課題を克服し、所期の目的を達成するため、請求項２の発明に係る遊技機における開閉連結装置は、
外枠(11)に対して中枠(12)を開閉および着脱可能に組み付けると共に、中枠(12)に対して前枠(13)を開閉および着脱可能に組み付けて遊技に供される遊技機において、
前記中枠(12)の左端部に配設された板状のベース部材(52)と、
前記ベース部材(52)の上面前側に設けられて上方および後方へ開口する第１軸孔(57)を有し、前記外枠(11)に設けられて下向きに突出する第１支軸(42)を該第１軸孔(57)に軸支する第１軸受け部(56)と、
前記ベース部材(52)の下面前側に設けられて下方および後方へ開口する第２軸孔(59)を有し、前記前枠(13)に設けられて上向きに突出する第２支軸(44)を該第２軸孔(59)に軸支する第２軸受け部(58)と、
前記ベース部材(52)の上面側に枢支軸(83a)を介して回動可能に配設されて、回動により前記第１軸孔(57)の後方開口(57a)に対する閉鎖位置および開放位置の間を変位する第１開閉レバー部材(82)と、
前記第１開閉レバー部材(82)の左側縁部に形成され、前記ベース部材(52)の上面左外端および第１軸受け部(56)の間に前記第１支軸(42)を受け入れ可能な第１軸受入口(68)を画成し、該第１軸受入口(68)を介して受け入れた第１支軸(42)により第１開閉レバー部材(82)を閉鎖位置から開放位置へ変位させる第１案内面(65)と、
前記第１開閉レバー部材(82)に設けられて下方に突出する第２の突起部(83b)と、
前記枢支軸(83a)を介してベース部材(52)の下面側に回動可能に配設され、回動により前記第２軸孔(59)の後方開口(59a)に対する閉鎖位置および開放位置の間を変位する第２開閉レバー部材(90)と、
前記第２開閉レバー部材(90)の前側縁部に形成され、前記ベース部材(52)の下面右外端および第２軸受け部(58)の間に前記第２支軸(44)を受け入れ可能な第２軸受入口(76)を画成し、該第２軸受入口(76)を介して受け入れた前記第２支軸(44)により前記第２開閉レバー部材(90)を閉鎖位置から開放位置へ変位させる第２案内面(73)と、
前記ベース部材(52)に上下に貫通するよう形成されて前記第２の突起部(83b)が挿入され、前記第１開閉レバー部材(82)の閉鎖位置および開放位置の間の変位に伴った第２の突起部(83b)の移動を許容する第１ガイド孔(53c)と、
前記第２開閉レバー部材(90)に上下に貫通するよう形成されて前記第２の突起部(83b)が挿入され、前記第２開閉レバー部材(90)の閉鎖位置および開放位置の間の変位に伴った第２の突起部(83b)の移動を許容する第３ガイド孔(91a)と、
前記第２開閉レバー部材(90)に設けられた第２の係止部(91c)および前記第２の突起部(83b)に係止され、前記第１開閉レバー部材(82)および第２開閉レバー部材(90)の夫々を、相互に逆方向となる対応の閉鎖位置へ向けて付勢する付勢部材(78)とを備え、
前記第１軸受入口(68)から受け入れた前記外枠(11)の第１支軸(42)により閉鎖位置にある前記第１開閉レバー部材(82)を開放位置に変位させて第１軸孔(57)の後方開口(57a)を開放し、開放した第１軸孔(57)の後方開口(57a)を介して第１支軸(42)が第１軸孔(57)へ進入することにより、付勢部材(78)の付勢により第１開閉レバー部材(82)が閉鎖位置に復帰して第１軸孔(57)に第１支軸(42)を軸支し、
前記第２軸受入口(76)から受け入れた前記前枠(13)の第２支軸(44)により閉鎖位置にある前記第２開閉レバー部材(90)を開放位置に変位させて第２軸孔(59)の後方開口(59a)を開放し、開放した第２軸孔(59)の後方開口(59a)を介して第２支軸(44)が第２軸孔(59)に進入することにより、付勢部材(78)の付勢により第２開閉レバー部材(90)が閉鎖位置に復帰して第２軸孔(59)に第２支軸(44)を軸支するよう構成したことを要旨とする。
【００１１】
請求項２に係る発明では、中枠に対して前枠を組み付ける連結構造を、外枠に対して中枠を組み付ける連結構造と同様のロックレバー式にしたので、中枠に対する前枠の組み付けも簡単で、確実な組み付けが達成できる。また、前枠に設けられる第２支軸を固定式とし得るから、強度が増し、重量のある前枠を安定して支持することができる。更に、第１および第２開閉レバー部材を閉鎖位置に付勢する付勢部材および枢支軸を共通化したから、部品点数およびコストを低減し得ると共に、装置の小型化を図り得る。
【発明の効果】
【００１２】
本発明に係る遊技機における開閉連結装置によれば、外枠に対する中枠、および中枠に対する前枠の簡単・確実な組み付けを行ない得る。
【発明を実施するための最良の形態】
【００１３】
次に、本発明に係る遊技機における開閉連結装置について、好適な実施例を挙げて添付図面を参照しながら、以下詳細に説明する。なお実施例では、遊技機として、遊技店内の設置枠台(所謂「島」)に縦向き後傾姿勢に固定保持され、遊技球としてパチンコ球を用いて遊技を行なうパチンコ機を示す。
【実施例１】
【００１４】
実施例１のパチンコ機１０は、その基本的構成の概要として、図１に略示するように、外郭用の固定機枠をなす縦長矩形状の外枠１１の開口前面側に、各種の遊技用構成部材を搭載セットする搭載用の開閉機枠をなす縦長方形の中枠１２が、上下の開閉連結手段３８,２０(後述)により着脱および開閉可能に組み付けられると共に、右側の施錠手段１８により閉鎖状態に保持される。この中枠１２の前面側に、遊技盤１７を透視保護する透明板１３ａを組み付けた前枠１３が、前記上側の開閉連結手段３８と、上下の開閉連結手段３８,２０の間に位置する中間の開閉連結手段３０(後述)により着脱および開閉可能に組み付けられている。なお、実施例１に係るパチンコ機１０では、前記前枠１３の下部位置に、パチンコ球を貯留する上球皿１４が設けられており、前枠１３と一体的に上球皿１４が開閉するようになっている。また、中枠１２における前枠１３の下部には、パチンコ球を貯留する下球皿１５および上球皿１４のパチンコ球を遊技盤１７の盤面へ向けて打ち出させるハンドル部材１６が設けられている。なお、以下の説明においては、特に断りのない限り、外枠１１に対して中枠１２を閉鎖すると共に中枠１２に対して前枠１３を閉鎖して、パチンコ機１０を正面側から視た状態(図１参照)を基準として、「前・後」、「左・右」を指称する。
【００１５】
前記外枠１１は、図２に示すように、上下および左右の４本の枠部材１１ａ,１１ｂ,１１ｃ,１１ｄを枠組み連結して縦長方形に構成され、前記中枠１２も同様に、上下および左右の４本の枠部材１２ａ,１２ｂ,１２ｃ,１２ｄを枠組み連結して縦長方形に構成される。そして、外枠１１の各枠部材１１ａ,１１ｂ,１１ｃ,１１ｄによって画成される開口部に中枠１２が臨み、中枠１２の各枠部材１２ａ,１２ｂ,１２ｃ,１２ｄを組み付けた際に開口する開口部に前記遊技盤１７が着脱可能に設置される。なお、実施例１では、前記外枠１１および中枠１２における上下の枠部材１１ａ,１１ｂ,１２ａ,１２ｂは合成樹脂成形されると共に、左右の枠部材１１ｃ,１１ｄ,１２ｃ,１２ｄはアルミ材等の金属材により成形されて、全体としての剛性を確保しつつ薄肉化を図っている。また、実施例１では、前記前枠１３は、図２に示すように、前記中枠１２に保持した遊技盤１７に対応する位置に窓口１３ｂが開設されて、透明板１３ａが窓口１３ｂに臨むよう前枠１３の裏側に設置される(図２においては透明板１３ａを省略している)。
【００１６】
(下側の開閉連結手段について)
次に、前記各開閉連結手段２０,３０,３８について説明する。先ず、前記中枠１２の左下部を外枠１１に開閉および着脱可能に組み付ける前記下側の開閉連結手段２０は、図３に示すように、前記外枠１１の下枠部材１１ｂの左上端部(すなわち外枠１１の左下部)に配設される第１の下支持受具２１と、前記中枠１２の下枠部材１２ｂの左下端部(すなわち中枠１２の左下部)に配設される第２の下支持受具２４とから構成されて、軸・孔の上下嵌挿連結タイプが採用される。前記第１の下支持受具２１は、前記外枠１１の下枠部材１１ｂの左上端面(すなわち外枠１１の左下部)に配設され、該下枠部材１１ｂより前側に突出する下支持板２２と、該下支持板２２の突出部位に上向きに突出するよう配設された第１下支軸２３とから構成される。一方、前記第２の下支持受具２４は、前方へ向けて突出する下突出片２５に支持部材２６が取り付けられ、該下突出片２５および支持部材２６に、前記外枠１１の第１下支軸２３を挿入可能な第１下軸孔２７が下方に開口するよう形成されている。なお、前記支持部材２６には、上方に開口する別の孔(図示せず)が形成されており、前記下球皿１５の左下端部に上下にスライド可能に設けたスライドピン(図示せず)を、この孔に枢支するようになっている。このように構成された下側の開閉連結手段２０では、前記第１の下支持受具２１における下支持板２２および第１下支軸２３、前記第２の下支持受具２４における下突出片２５および支持部材２６の夫々が金属製とされて、相当な重量物とされる中枠１２全体の荷重を集中的に受けても充分耐え得る連結強度が維持される。そして、第１下軸孔２７に対して第１下支軸２３が嵌挿されているもとでは、中枠１２が垂立位置の外枠１１を基準に視て適宜傾き(例えば概ね１０度)が許容されるようになっている。
【００１７】
(中間の開閉連結手段について)
前記前枠１３の左下部を中枠１２に開閉および着脱可能に組み付ける中間の開閉連結手段３０は、図３に示すように、前記下側の開閉連結手段２０と同様に、軸・孔の上下嵌挿連結タイプが採用される。すなわち、前記中間の開閉連結手段３０は、前記中枠１２における前記第２の下支持受具２４の上方位置(すなわち中枠１２の左縁における上下の開閉連結手段３８,２０の間)に設けられる中間支持受具３１と、前記前枠１３の左下端部(すなわち前枠１３の左下部)に配設される第３の下支持受具３５とから構成される。前記中間支持受具３１は、前記第２の下支持受具２４の下突出片２５と略平行に前方へ突出する上突出片３２に、上方に突出する第２下支軸３３および下方に突出する第３下支軸３４が夫々設けられている。なお、前記第３下支軸３４は、前記下球皿１５の左上端部に形成した孔(図示せず)に挿通されて、前述した前記支持部材２６の孔(図示せず)および下球皿１５のスライドピン(図示せず)の関係と併せて、下球皿１５を開閉可能に組み付けるようになっている。なお、実施例１では、前記第２の下支持受具２４の下突出片２５、および中間支持受具３１の上突出片３２は、単一の金属板部材を略コ字状に屈曲形成して構成される。
【００１８】
また、前記第３の下支持受具３５には、前記第２下支軸３３を挿入可能な下方に開口する第２下軸孔３６が形成されており、該第２下軸孔３６に第２下支軸３３を挿入することで、前枠１３の左下部を中枠１２に開閉可能に支持し得るようになっている。このように構成された中間の開閉連結手段３０では、前記中間の開閉連結手段３０における上突出片３２および第２下支軸３３、前記第３の下支持受具３５の夫々が金属製とされて、相当な重量物とされる前枠１３全体の荷重を集中的に受けても充分耐え得る連結強度が維持される。そして、第２下軸孔３６に対して第２下支軸３３が嵌挿されているもとでは、前枠１３が垂立位置の中枠１２を基準に視て適宜傾き(例えば概ね１０度)が許容されるようになっている。
【００１９】
(上側の開閉連結手段について)
次に、前記上側の開閉連結手段３８は、軸・孔を左右の広角的な方向位置から横嵌め連結して自動ロックし得る形式として、基本的には図３に示すように、前記外枠１１の上枠部材１１ａの左上端部(すなわち外枠１１の左上部)に配設される第１の上支持受具３９と、前記前枠１３の左上端部(すなわち前枠１３の左上部)に配設される第２の上支持受具４３と、前記中枠１２の左上端部(すなわち中枠１２の左上部)に配設される開閉レバー式の開閉連結装置５０とから構成されて、開閉連結装置５０の開閉レバー部材６２,７０(後述)を閉鎖位置および開放位置の間で変位させることで、当該開閉連結装置５０の軸孔５７,５９(後述)に対して、第１および第２の上支持受具３９,４３の支軸４２,４４を連結し得るようになっている(図９または図１０参照)。
【００２０】
前記第１の上支持受具３９は、前記外枠１１の上枠部材１１ａに固定される第１の水平片部４０と、外枠１１の左枠部材１１ｃに固定される第１の垂下片部４１とを備えた略Ｌ字状に成形されて、該第１の水平片部４０の左端前縁から前向き水平に延出形成された半円庇状の支片部４０ａ(図9参照)に第１上支軸(第１支軸)４２が下向き垂直に固定されている。なお、前記第１上支軸４２は、前記第１下支軸２３と同一垂線上に位置するよう形成される(図３参照)。また、前記第２の上支持受具４３は、前枠１３の左隅部に形成された切欠部１３ｃに配設されて、第２上支軸(第２支軸)４４が上向き垂直に立設されている。なお、前記切欠部１３ｃは、前記開閉連結装置５０における前方突出部位(すなわち、後述する受け片部５３ａ、第１軸受け部５６および第２軸受け部５８)との干渉を回避する回避部として機能している(図１参照)。
【００２１】
(開閉連結装置について)
次に、前記開閉連結装置５０について図５〜図８を用いて説明する。前記開閉連結装置５０は、前記中枠１２の左上端部に配設される板状のベース部材５２と、ベース部材５２の上面前側に設けられて前記外枠１１の第１上支軸４２を軸支する第１軸受け部５６と、ベース部材５２の下面前側に設けられて前記前枠１３の第２上支軸４４を軸支する第２軸受け部５８と、ベース部材５２の上面側に回動可能に配設される第１開閉レバー部材６２と、ベース部材５２の下面側に回動可能に配設される第２開閉レバー部材７０と、第１開閉レバー部材６２および第２開閉レバー部材７０の夫々を付勢するねじりバネ(付勢部材)７８とから基本的に構成されて、中枠１２の左上端部に取り付けられる(図４参照)。すなわち、実施例１では、外枠１１および前枠１３の夫々を、開閉連結装置５０に枢支することで、外枠１１に対して中枠１２を開閉可能とし、中枠１２に対して前枠１３を開閉可能としている。
【００２２】
ここで、前記ベース部材５２は、前記中枠１２の上枠部材１２ａにおける左上端面に当接する第２の水平片部５３と、該上枠部材１２ａの後面に当接する第２の垂下片部５４とを備えた略Ｌ形状に成形される。そして、前記第２の水平片部５３および第２の垂下片部５４の夫々を、中枠１２の上枠部材１２ａにおける対応する上面および後面に当接させた状態で、該上枠部材１２ａの前面に配置した座盤７９(図３〜図５参照)と、第２の垂下片部５４とを複数箇所(実施例１では左右に離間する２箇所)でネジ止めして、ベース部材５２(開閉連結装置５０)を中枠１２に固定している。
【００２３】
また、前記第２の水平片部５３の左端前縁には、図５に示すように、半円庇状の受け片部５３ａが水平前向きに延出形成されて、受け片部５３ａの上面前側に前記第１軸受け部５６が取り付けられると共に、当該受け片部５３ａの下面前側に前記第２軸受け部５８が取り付けられている。ここで、前記第１軸受け部５６には、図５または図６に示すように、上下に貫通する第１上軸孔(第１軸孔)５７が後方に開口するよう形成されており、前記受け片部５３ａに取り付けた状態において第１上軸孔５７が上方および後方へ開口するようになっている。そして、第１上軸孔５７の後方開口５７ａ(図６(b)参照)を介して前記外枠１１の第１上支軸４２を挿入し得るようになっている(図９参照)。同様に、前記第２軸受け部５８には、図７または図８に示すように、上下に貫通する第２上軸孔(第２軸孔)５９が後方に開口するよう形成されて、前記受け片部５３ａに取り付けた状態において前記第２上軸孔５９が下方および後方へ開口する。そして、第２上軸孔５９の後方開口５９ａ(図８(b)参照)を介して前記前枠１３の第２上支軸４４を挿入し得るようになっている(図１０参照)。なお、前記第１および第２軸受け部５６,５８の夫々は、前記第２の水平片部５３(受け片部５３ａ)を挟む状態でカシメピン６０,６０を介して強固にカシメ付けにより連結固定されている。また、前記第２の水平片部５３(受け片部５３ａ)には、前記第２開閉レバー部材７０の枢支軸７１ａ(後述)を挿通する第１通孔５３ｂが上下に貫通するよう形成されると共に、該第１通孔５３ｂの右側方に、前記第１開閉レバー部材６２および第２開閉レバー部材７０の回動方向に延在して第２開閉レバー部材７０の突起部７１ｂ(後述)を挿通する第１ガイド孔５３ｃが上下に貫通するよう形成されている。
【００２４】
(第１開閉レバー部材について)
前記第１開閉レバー部材６２は、図５または図６に示すように、前記ベース部材５２の受け片部５３ａ側に対向する第１基体部６３と、該第１基体部６３に連設して指先操作し得る第１レバー体６７とから平面略Ｐの字形状に一体形成されたハンドルレバー形式とされる。前記第１基体部６３には、前記ベース部材５２の第１通孔５３ｂと対応する位置に、上下に貫通する第２通孔６３ａが形成されており、該第１通孔５３ｂに挿通させた第２開閉レバー部材７０の枢支軸７１ａを第２通孔６３ａに挿通することで、該枢支軸７１ａを中心として第１開閉レバー部材６２を回動し得るようになっている。なお、第１レバー体６７の後端縁には、上方に突出する第１摘み６７ａが形成され、該第１摘み６７ａを指先操作することで、該第１開閉レバー部材６２を容易に回動操作し得るようになっている。
【００２５】
また、前記第１基体部６３には、前記第１ガイド孔５３ｃに対応する位置に、前記第１開閉レバー部材６２および第２開閉レバー部材７０の回動方向に延在する第２ガイド孔６３ｂが上下に貫通するよう形成され、該第１ガイド孔５３ｃに挿通させた第２開閉レバー部材７０の突起部７１ｂが、この第２ガイド孔６３ｂに挿通される。なお、前記第２ガイド孔６３ｂは、第１開閉レバー部材６２の閉鎖位置(図６(a)参照)において、前記第１ガイド孔５３ｃと略整合するようになっている。また、前記第１基体部６３における回動支点(枢支軸７１ａ)から離れた前端縁には、前記第１上軸孔５７の後方開口５７ａを開閉する第１開閉部６４が円弧状に形成されている。
【００２６】
ここで、前記第２ガイド孔６３ｂは、前記第２開閉レバー部材７０の突起部７１ｂが前記第１ガイド孔５３ｃを介して挿通された状態において、前記第１開閉部６４が前記第１上軸孔５７の後方開口５７ａを閉鎖する閉鎖位置(図６(a)参照)と、該第１開閉部６４が第１上軸孔５７の後方開口５７ａを開放する開放位置(図６(b)参照)との間を、前記第１開閉レバー部材６２が回動変位し得るよう形成される。換言すると、前記第２ガイド孔６３ｂは、前記第１開閉レバー部材６２の閉鎖位置および開放位置の間の変位に伴った突起部７１ｂの移動を許容するよう設けられている。実施例１では、外枠１１に対して中枠１２を開放するか、外枠１１から中枠１２を取り外した状態において、閉鎖位置にある第１開閉レバー部材６２を中枠１２の裏側へ向けて回動する(図９において反時計回りに回動する)ことにより開放位置へ変位し、外枠１１に対して中枠１２を閉鎖した状態においては、外枠１１における上枠部材１１ａの前端面が第１開閉レバー部材６２における第１レバー体６７(第１摘み６７ａ)の後端面に当接して回動規制されて閉鎖位置に保持するよう構成してある。
【００２７】
図６に示すように、前記第１基体部６３の左外側縁に前記外枠１１の第１上支軸４２を当接案内し得る円弧状の第１案内面６５が形成されて、前記ベース部材５２における第２の水平片部５３(受け片部５３ａ)の左端と、第１案内面６５と、前記第１軸受け部５６の後端との間に、左方へ向けて広く開口する第１軸受入口６８が画成されている。また、実施例１では、前記第１開閉レバー部材６２を閉鎖位置に変位した状態では、前記第１案内面６５と第１開閉部６４との交差隅部６６が、前記第１軸受け部５６における第１上軸孔５７の後方開口５７ａの左方の段差縁５６ａに係止するよう設定してある。すなわち、第１開閉レバー部材６２の閉鎖位置では、第１案内面６５と第１開閉部６４との交差隅部６６が段差縁５６ａに係止すると共に第２ガイド孔６３ｂの後端部に突起部７１ｂが係止して回動規制され、第１開閉レバー部材６２の開放位置では、第２ガイド孔６３ｂの前端部に突起部７１ｂが係止して回動規制されるようになっている(図６(a),(b)参照)。
【００２８】
(第２開閉レバー部材について)
次に、前記第２開閉レバー部材７０の構成について説明する。第２開閉レバー部材７０は、前記第１開閉レバー部材６２と基本的構成が共通する部材であって、図７または図８に示すように、前記ベース部材５２の受け片部５３ａの裏面側に対向する第２基体部７１と、該第２基体部７１に連設して指先操作し得る第２レバー体７５とから平面略Ｐの字形状に一体形成されたハンドルレバー形式とされる。前記第２基体部７１には、上方に突出する枢支軸７１ａが形成されて、前記ベース部材５２の第１通孔５３ｂおよび第１開閉レバー部材６２の第２通孔６３ａの夫々に下側から枢支軸７１ａを挿通することで、該枢支軸７１ａを中心として第２開閉レバー部材７０が回動し得るようになっている。なお、第２レバー体７５の前端縁には、上方に突出する第２摘み７５ａが形成されており、該第２摘み７５ａを指先操作することで、該第２開閉レバー部材７０を容易に回動操作し得るようになっている。
【００２９】
また、前記枢支軸７１ａには、前記第１および第２通孔５３ｂ,６３ａに挿通した状態において、前記第１開閉レバー部材６２(第１基体部６３)の上方からワッシャ４６を介してネジ４８が螺挿される(図５または図６参照)。ここで、前記ネジ４８(ワッシャ４６)は、前記枢支軸７１ａからの第１基体部６３(第１開閉レバー部材６２)の抜け止め、および第１および第２通孔５３ｂ,６３ａからの枢支軸７１ａ(第２開閉レバー部材７０)の抜け止めとして機能する部材であって、これにより第１開閉レバー部材６２および第２開閉レバー部材７０の夫々を、枢支軸７１ａを中心としてベース部材５２における第２の水平片部５３の上面側または下面側で回動させるよう構成している。なお、抜け止めとして機能する部材として、ピン等を用いることもでき、また枢支軸の端部に径方向に突出する爪部を形成して、第１基体部６３に係止することで抜け止めする構成であってもよい。
【００３０】
前記突起部７１ｂは、図５に示すように、前記第２基体部７１における前記第１ガイド孔５３ｃに対応する位置に上方に突出するよう形成されて、前述のように前記第１ガイド孔５３ｃに挿通される。また、前記第２基体部７１の回動支点(枢支軸７１ａ)から離れた前端縁には、前記第２上軸孔５９の後方開口５９ａを開閉し得る第２開閉部７２が前方へ向けて突設されている。ここで、前記ベース部材５２の第１ガイド孔５３ｃおよび第１開閉レバー部材６２の第２ガイド孔６３ｂの夫々は、前記突起部７１ｂが挿通された状態において、前記第２開閉部７２が前記第２上軸孔５９の後方開口５９ａを閉鎖する閉鎖位置(図８(a)参照)と、該第２開閉部７２が第２上軸孔５９の後方開口５９ａを開放する開放位置(図８(b)参照)との間を、第２開閉レバー部材７０が回動変位し得るよう形成される。換言すると、前記第１ガイド孔５３ｃおよび第２ガイド孔６３ｂは、前記第１開閉レバー部材６２の閉鎖位置および開放位置の間の変位に伴った突起部７１ｂの移動を許容するよう設けられている。実施例１では、中枠１２に対して前枠１３を開放するか、中枠１２から前枠１３を取り外した状態においては、閉鎖位置にある第２開閉レバー部材７０を中枠１２の表側へ向けて回動する(図８において反時計回りに回動する)ことにより開放位置へ変位し、中枠１２に対して前枠１３を閉鎖した状態では、前枠１３の後端面が第２開閉レバー部材７０における第２レバー体７５(第２摘み７５ａ)の前端面に当接して回動規制されて閉鎖位置に保持されるようになっている。
【００３１】
図８に示すように、前記第２基体部７１の右前側縁には、前記前枠１３の第２上支軸４４を当接案内し得る円弧状の第２案内面７３が形成されており、前記ベース部材５２における第２の水平片部５３(受け片部５３ａ)の右端と、第２案内面７３と、前記第２軸受け部５８の後端との間に、右方へ向けて広く開口する第２軸受入口７６が画成される。また、実施例１では、前記第２開閉レバー部材７０を閉鎖位置に変位した状態では、前記第２開閉部７２が前記第２軸受け部５８における第２上軸孔５９の後方開口５９ａの右方の段差縁５８ａに係止するよう設定してある。一方、前記第２開閉レバー部材７０を開放位置に変位した状態では、前記第２軸受け部５８における第２上軸孔５９の後方開口５９ａより左方に設けられた顎部５８ｂ(図７または図８参照)に前記第２開閉部７２が係止するよう構成されている。すなわち、第２開閉レバー部材７０の閉鎖位置では、第２開閉部７２が段差縁５８ａに係止すると共に第１ガイド孔５３ｃの後端部に突起部７１ｂが係止して回動規制され(図８(a)参照)、第２開閉レバー部材７０の開放位置では、第２開閉部７２が顎部５８ｂに係止して回動規制されている(図８(b)参照)。なお、第２開閉レバー部材７０の開放位置において、前記突起部７１ｂが前記第１ガイド孔５３ｃまたは第２ガイド孔６３ｂの前端部に係止することで、該第２開閉レバー部材７０を回動規制することも可能である。
【００３２】
(ねじりバネについて)
また、前記ねじりバネ７８は、図６に示すように、前記枢支軸７１ａに巻掛けた状態において、一方の端部を前記第１基体部６３における第１案内面６５側の内壁面(係止部)６３ｃに係止すると共に、他方の端部が前記突起部７１ｂに係止するよう配設されて、第１開閉レバー部材６２および第２開閉レバー部材７０の夫々を、相互に逆方向となる対応の閉鎖位置へ向けて付勢するようになっている。すなわち、前記ねじりバネ７８は、図６においては前記第１開閉レバー部材６２を時計回りに回動させるよう付勢する一方、前記第２開閉レバー部材７０を反時計回りに回動させるよう付勢している。なお、前記ねじりバネ７８は、前記ネジ４８(ワッシャ４６)により前記枢支軸７１ａから脱落することなく第１開閉レバー部材６２の上面側に保持される。
【００３３】
〔実施例１の作用〕
次に、実施例１に係るパチンコ機１０の作用につき説明する。
【００３４】
(外枠に対する中枠の組み付けについて)
先ず、機体をなす外枠１１および中枠１２の組み付け態様について説明する。実施例１のパチンコ機１０における上下の開閉連結手段３８,２０は、前述したように、下側の開閉連結手段２０が軸・孔の上下嵌挿連結タイプであり、また上側の開閉連結手段３８が軸・孔の側方嵌合ロックタイプとして構成されることから、外枠１１に対する中枠１２の組み付けに際しては、先ず下側の開閉連結手段２０の連結作業を行ない、次いで上側の開閉連結手段３８の連結作業を行なう。すなわち、下側の開閉連結手段２０の連結作業では、床面上または設置枠台等に縦向きに保持された外枠１１に対して中枠１２を適宜高い位置に保持したもとで、外枠１１の左下端部に設けた第１の下支持受具２１に対して中枠１２の左下端部に設けた第２の下支持受具２４を上方に位置合わせし、該第２の下支持受具２４の第１下軸孔２７に対して第１の下支持受具２１の第１下支軸２３を嵌挿することにより、第１の下支持受具２１および第２の下支持受具２４が連結される。なお、前記第１下支軸２３と第１下軸孔２７は、前述したように、嵌め合い公差的な嵌挿条件により嵌挿連結されるので、中枠１２を適宜傾斜姿勢に保持していても両者が至極簡単に嵌挿される。
【００３５】
そして下側の開閉連結手段２０の連結が完了したら、次いで上側の開閉連結手段３８における第１上軸孔５７に第１上支軸４２を嵌合させる。例えば図９に示すように、外枠１１に対する中枠１２の開放角度を略９０度に保持した姿勢において、該中枠１２を下側の開閉連結手段２０を中心として起立変位させ、前記開閉連結装置５０のベース部材５２と第１軸受け部５６と第１案内面６５とにより形成された第１軸受入口６８に対し、外枠１１に固定した第１の上支持受具３９の第１上支軸４２を相対的に位置合わせする(図９(a)参照)。この状態で中枠１２の上部を外枠１１側へ押し込むと、前記第１上支軸４２の側面が、閉鎖位置に付勢されている開閉連結装置５０における第１開閉レバー部材６２の第１案内面６５を押圧し、該第１開閉レバー部材６２はねじりバネ７８の付勢力に抗して枢支軸７１ａを中心として開放位置方向へ回動されるから、第１上軸孔５７の後方開口５７ａを開放するようになる(図９(b)参照)。このとき、第１上支軸４２は外枠１１に対する中枠１２の近接移動のもとに第１案内面６５に沿って案内され、第１上軸孔５７の後方開口５７ａ側へ相対的に移動する。そして、中枠１２の姿勢変位のもとに第１上支軸４２が第１上軸孔５７内に完全に嵌合すると、該第１上支軸４２と第１案内面６５との当接が解除されるようになるから、第１開閉レバー部材６２はねじりバネ７８の付勢力により回動して当初の閉鎖位置に復帰し、第１上軸孔５７の後方開口５７ａは該第１開閉レバー部材６２の第１開閉部６４により閉鎖されて第１上軸孔５７に第１上支軸４２が軸支される(図９(c)参照)。この上側の開閉連結手段３８の連結に際して、前記第１軸受入口６８は中枠１２の左方向に広く開口しているので、前記第１上支軸４２を広角範囲から受け入れることができ、外枠１１に対して中枠１２を左右の広範囲に亘る任意の方向・姿勢において組み付け連結することができる。
【００３６】
このように、上下の開閉連結手段３８,２０の連結が完了した実施例１のパチンコ機１０では、下側の開閉連結手段２０については、第１の下支持受具２１の第１下支軸２３と、第２の下支持受具２４の第１下軸孔２７との嵌挿連結を含む強固な構造を以って中枠１２全体の荷重を好適に受けつつ連結強度が維持されると共に、上側の開閉連結手段３８については、開閉連結装置５０の第１開閉部６４により第１の上支持受具３９の第１上支軸４２を第１上軸孔５７に好適に嵌合保持し得るから、中枠１２を外枠１１に好適に組み付け保持することができる。また上側の開閉連結手段３８においては、例えば中枠１２の開閉操作中において、第１上軸孔５７に嵌合している第１上支軸４２が閉鎖位置に付勢保持されている第１開閉レバー部材６２の第１開閉部６４を押圧したとしても、該第１開閉レバー部材６２が開放位置方向に回動することはないから、このような中枠１２の開閉操作時に第１上支軸４２が第１上軸孔５７から抜け出ることはない。なお、外枠１１に中枠１２を閉鎖セットした状態においては、第１開閉レバー部材６２の第１摘み６７ａが、外枠１１の上枠部材１１ａの前端面に当接するから、この状態での第１開閉レバー部材６２の回動も全く不可能となり、パチンコ機１０の運送中や遊技中に該中枠１２が不用意に外れることもない。
【００３７】
なお、前述した上側の開閉連結手段３８の連結例では、外枠１１に対して中枠１２を約９０度の開放角度に保持した状態での両枠１１,１２の組み付け態様を示したが、実施例１のパチンコ機１０では、前述したように、第１軸受入口６８が広く開口されて第１上支軸４２を広角範囲から受入れ得るようになっているから、図１１に示すように、外枠１１に対する中枠１２の開放角度が、閉鎖状態に対して約３０〜１５０度の範囲内となっていれば、両枠１１,１２を好適に連結することができる。すなわち機体の組み付けにあたっては、外枠１１に対して中枠１２を左右の広範囲に亘る任意の方向姿勢において、両手で中枠１２を支えながら外枠１１側の第１上支軸４２と中枠１２側の第１上軸孔５７とを互いに横嵌め連結して組み付けることができ、作業者の「右利き左利き体格(身長)」等の個体差に拘らず手早く楽に組み付け作業を行なうことができる。
【００３８】
(外枠に対する中枠の組み外しについて)
次に、機体をなす外枠１１および中枠１２の組み外し態様について説明する。実施例１のパチンコ機１０における上下の開閉連結手段３８,２０は、前述したように、下側の開閉連結手段２０が軸・孔の上下嵌挿連結タイプであり、また上側の開閉連結手段３８が軸・孔の側方嵌合ロックタイプとして構成されていることから、外枠１１に対する中枠１２の組み外しに際しては、先ず上側の開閉連結手段３８の分離作業を行ない、次いで下側の開閉連結手段２０の分離作業を行なう。すなわち、外枠１１に対して中枠１２を略９０度に開放した状態に保持し、先ず上側の開閉連結手段３８において閉鎖位置にある開閉連結装置５０の第１開閉レバー部材６２を第１摘み６７ａを指先操作して回動させて、開放位置に臨ませる。これにより、第１開閉レバー部材６２の第１開閉部６４が第１上軸孔５７の後方開口５７ａから離間し、該後方開口５７ａが開放した状態となる。そして、中枠１２の上部を外枠１１に対して離間する方向へ移動(傾動)させることにより、第１上支軸４２が第１上軸孔５７の後方開口５７ａを介して第１軸受入口６８へ抜け出るようになり、該第１上支軸４２と第１上軸孔５７との嵌合が解除される。中枠１２の上部を外枠１１に対して離間する方向へ更に移動させることにより上側の開閉連結手段３８が完全に分離され、また開閉連結装置５０の第１開閉レバー部材６２はねじりバネ７８の付勢弾力のもとに当初の閉鎖位置へ復帰する。次いで、外枠１１に対して適宜傾斜した姿勢状態となっている中枠１２を上方へ移動させることにより、下側の開閉連結手段２０においては第１下軸孔２７から第１下支軸２３が抜け出て、外枠１１から中枠１２が完全に組外される。
【００３９】
なお、実施例１のパチンコ機１０では、前述したように第１軸受入口６８が広く開口されているから、外枠１１に対する中枠１２の開放角度が、閉鎖状態に対して約３０〜１５０度の範囲内となっていれば、両枠を好適に組み外すことができる。すなわち機体の組み外しにあたっては、外枠１１に対して中枠１２を左右の広範囲に亘る任意の方向姿勢において、外枠１１側の第１上支軸４２と中枠１２側の第１上軸孔５７とを互いに分離させることができ、作業者の「右利き左利き体格(身長)」等の個体差に拘らず手早く楽に組み外し作業を行なうことができる。しかも開閉連結装置５０は、第１開閉レバー部材６２を中枠１２の後方(裏面側)へ突出する向きに回動させることで開放位置に変位することから、該第１開閉レバー部材６２を操作保持する手指と中枠１２の上隅部が干渉するのを防止し得る。
【００４０】
(中枠に対する前枠の組み付けについて)
次に、中枠１２および前枠１３の組み付け態様について説明する。実施例１のパチンコ機１０では、前述したように、中間の開閉連結手段３０が軸・孔の上下嵌挿連結タイプであり、また上側の開閉連結手段３８が軸・孔の側方嵌合ロックタイプとして構成されることから、中枠１２に対する前枠１３の組み付けに際しては、先ず中間の開閉連結手段３０の連結作業を行ない、次いで上側の開閉連結手段３８の連結作業を行なう。すなわち、中間の開閉連結手段３０の連結作業では、縦向きに保持された中枠１２に対して前枠１３を適宜高い位置に保持したもとで、中枠１２の左下端部に設けた中間支持受具３１に対して前枠１３の左下端部に設けた第３の下支持受具３５を上方に位置合わせし、該第３の下支持受具３５の第２下軸孔３６に対して中間支持受具３１の第２下支軸３３を嵌挿することにより、中間支持受具３１および第３の下支持受具３５が連結される。なお、前記第２下支軸３３と第２下軸孔３６は、前述したように、嵌め合い公差的な嵌挿条件により嵌挿連結されるので、前枠１３を適宜傾斜姿勢に保持していても両者が至極簡単に嵌挿される。
【００４１】
そして中間の開閉連結手段３０の連結が完了したら、次いで上側の開閉連結手段３８における第２上軸孔５９に第２上支軸４４を嵌合させる。前枠１３を中間の開閉連結手段３０を中心として適宜傾斜させ、前記開閉連結装置５０のベース部材５２と第２軸受け部５８と第２案内面７３とにより形成された第２軸受入口７６に対し、前枠１３に固定した第２の上支持受具４３の第２上支軸４４を相対的に位置合わせする(図１０(a)参照)。そして前枠１３の上部を中枠１２側へ押し込むと、前記第２上支軸４４が、閉鎖位置に付勢されている開閉連結装置５０における第２開閉レバー部材７０の第２案内面７３を押圧し、該第２開閉レバー部材７０はねじりバネ７８の付勢力に抗して枢支軸７１ａを中心として開放位置方向へ回動されるから、第２上軸孔５９の後方開口５９ａを開放するようになる(図１０(ｂ)参照)。このとき、第２上支軸４４は中枠１２に対する前枠１３の近接移動のもとに第２案内面７３に沿って案内され、第２上軸孔５９の後方開口５９ａ側へ相対的に移動する。そして、前枠１３の姿勢変位のもとに第２上支軸４４が第２上軸孔５９内に完全に嵌合すると、該第２上支軸４４と第２案内面７３との当接が解除されるようになるから、第２開閉レバー部材７０はねじりバネ７８の付勢力により回動して当初の閉鎖位置に復帰し、第２上軸孔５９の後方開口５９ａは該第２開閉レバー部材７０の第２開閉部７２により閉鎖されて第２上軸孔５９に第２上支軸４４が軸支される(図１０(ｃ)参照)。
【００４２】
この上側の開閉連結手段３８の連結に際して、前記第２軸受入口７６は第２開閉レバー部材７０の右方向へ広く開口している。従って、前記第２レバー体７５を目標として第２上支軸４４を移動することで容易に第２軸受入口７６へ進入させることができるから、中枠１２に対して前枠１３を任意の方向・姿勢において組み付け連結することができる。すなわち、機体の組み付けにあたっては、中枠１２に対して前枠１３を左右の広範囲(中枠１２に対する前枠１３の開放角度が、閉鎖状態に対して約４５〜９０度の範囲)に亘る任意の方向姿勢において、両手で前枠１３を支えながら前枠１３側の第２上支軸４４と中枠１２側の第２上軸孔５９とを互いに横嵌め連結して組み付けることができ、作業者の「右利き左利き体格(身長)」等の個体差に拘らず手早く楽に組み付け作業を行なうことができる。
【００４３】
このように、中間の開閉連結手段３０の連結、および上側の開閉連結手段３８の連結が完了した実施例１のパチンコ機１０では、中間の開閉連結手段３０については、中間支持受具３１(中枠１２)の第２下支軸３３と、第３の下支持受具３５(前枠１３)の第２下軸孔３６との嵌挿連結を含む強固な構造を以って前枠１３全体の荷重を好適に受けつつ連結強度が維持されると共に、上側の開閉連結手段３８については、開閉連結装置５０の第２開閉部７２により第２の上支持受具４３の第２上支軸４４を第２上軸孔５９に好適に嵌合保持し得るから、前枠１３を中枠１２に好適に組み付け保持することができる。また上側の開閉連結手段３８においては、例えば前枠１３の開閉操作中において、第２上軸孔５９に嵌合している第２上支軸４４が閉鎖位置に付勢保持されている第２開閉レバー部材７０の第２開閉部７２を押圧したとしても、該第２開閉レバー部材７０が開放位置方向に回動することはないから、このような前枠１３の開閉操作時に第２上支軸４４が第２上軸孔５９から抜け出ることはない。なお、中枠１２に前枠１３を閉鎖セットした状態においては、第２開閉レバー部材７０の第２摘み７５ａが、前枠１３の後端面に当接するから、この状態での第２開閉レバー部材７０の回動も全く不可能となり、パチンコ機１０の運送中や遊技中に前枠１３が不用意に外れることもない。
【００４４】
(中枠に対する前枠の組み外しについて)
次に、機体をなす中枠１２および前枠１３の組み外し態様について説明する。実施例１のパチンコ機１０における上中の開閉連結手段３８,３０は、前述したように、中間の開閉連結手段３０が軸・孔の上下嵌挿連結タイプであり、また上側の開閉連結手段３８が軸・孔の側方嵌合ロックタイプとして構成されていることから、中枠１２に対する前枠１３の組み外しに際しては、先ず上側の開閉連結手段３８の分離作業を行ない、次いで中間の開閉連結手段３０の分離作業を行なう。すなわち、先ず上側の開閉連結手段３８において閉鎖位置にある開閉連結装置５０の第２開閉レバー部材７０を第２摘み７５ａを指先操作して回動させて、開放位置に臨ませる。これにより、第２開閉レバー部材７０の第２開閉部７２が第２上軸孔５９の後方開口５９ａから離間し、該後方開口５９ａが開放した状態となる。そして、前枠１３の上部を中枠１２に対して右方向へ移動させることにより、第２上支軸４４が第２上軸孔５９の後方開口５９ａを介して第２軸受入口７６へ抜け出るようになり、該第２上支軸４４と第２上軸孔５９との嵌合が解除される。そして、前枠１３の上部を中枠１２に対して更に右方向へ移動させることにより上側の開閉連結手段３８が完全に分離され、開閉連結装置５０の第２開閉レバー部材７０はねじりバネ７８の付勢力のもとに当初の閉鎖位置へ復帰する。次いで、中枠１２に対して適宜傾斜した姿勢状態となっている前枠１３を上方へ移動させることにより、中間の開閉連結手段３０においては第２下軸孔３６から第２下支軸３３が抜け出て、中枠１２から前枠１３が完全に組み外される。
【００４５】
なお、実施例１のパチンコ機１０では、前述したように第２軸受入口７６が右方向(第２レバー体７５側)に広く開口しているから、第２開閉レバー部材７０の開放位置への回動を許容し得るよう前枠１３を中枠１２に対して任意の開放角度だけ開放すれば、前両枠１２,１３を好適に組み外すことができる。すなわち機体の組み外しにあたっては、中枠１２に対して前枠１３を左右の広範囲に亘る任意の方向姿勢において、中枠１２側の第２上支軸４４と前枠１３側の第２上軸孔５９とを互いに分離させることができ、作業者の「右利き左利き体格(身長)」等の個体差に拘らず手早く楽に組み外し作業を行なうことができる。
【００４６】
以上説明したように、中枠１２に対して前枠１３を組み付ける連結構造を、外枠１１に対して中枠１２を組み付ける連結構造と同様のロックレバー式にしたことで、従来のように上下方向に押し下げるスライドピンを用いた連結構造と較べて、中枠１２に対する前枠１３の組み付けを簡単、かつ確実に達成することが可能となる。また、実施例１のように、前枠１３に対して第２上支軸４４を固定して設けることにより、可動するスライドピンを利用する構成に較べると強度が格段に向上し、重量のある前枠１３を安定して支持することができる。
【００４７】
また、実施例１に係るパチンコ機１０では、単一の開閉連結装置５０を利用して中枠１２を外枠１１に対して組み付けると共に、前枠１３を中枠１２に対して組み付け得るよう構成されている。すなわち、前枠１３の連結のみに用いられる連結手段を省略して部品点数を少なくすることができ、組み付け工程数の低減や組み付けの合理化を図り得ると共に、製造コストを低減させることができる。
【００４８】
更に、第１および第２開閉レバー部材６２,７０の夫々を、同じ枢支軸７１ａを中心として回動するよう構成すると共に、単一のねじりバネ７８を利用して各開閉レバー部材６２,７０を対応の閉鎖位置へ付勢するようにしたから、部品点数およびコストを低減し得ると共に、装置の小型化を図り得る。更にまた、第２開閉レバー部材７０に設けた突起部７１ｂを、ベース部材５２に形成した第１ガイド孔５３ｃおよび第１開閉レバー部材６２に形成した第２ガイド孔６３ｂに挿通して上方に突出するよう構成したことで、第１開閉レバー部材６２の上面側に露出するようねじりバネ７８を配置することができ、組み付け作業の作業性向上を図り得ると共に、何らかの不具合が生じた場合であってもメンテナンスを容易に行ない得る利点がある。
【実施例２】
【００４９】
次に、実施例２に係るパチンコ機について説明する。なお、実施例２に係るパチンコ機は、実施例１に係るパチンコ機１０と基本的な構成は同一であって、上側の開閉連結手段３８をなす開閉連結装置の構成が相違する。従って、以下の説明において、実施例１と同一の構成・機能を備える部材に関しては同一の符号を付して詳細な説明は省略する。
【００５０】
図１２および図１３に示すように、実施例２に係る開閉連結装置８０の基本的な構成は実施例１の開閉連結装置５０と共通している。すなわち、該開閉連結装置８０は、前記中枠１２の左上端部に配設される板状のベース部材５２と、ベース部材５２の上面前側に設けられて前記外枠１１の第１上支軸４２を軸支する第１軸受け部５６と、ベース部材５２の下面前側に設けられて前記前枠１３の第２上支軸４４を軸支する第２軸受け部５８と、ベース部材５２の上面側に回動可能に配設される第１開閉レバー部材８２と、ベース部材５２の下面側に回動可能に配設される第２開閉レバー部材９０と、第１開閉レバー部材８２および第２開閉レバー部材９０の夫々を付勢するねじりバネ７８とから基本的に構成される。
【００５１】
(第１開閉レバー部材について)
ここで、実施例２に係る第１開閉レバー部材８２は、図１２に示すように、前記ベース部材５２の受け片部５３ａ側に対向する第１基体部８３と、該第１基体部８３に連設して指先操作し得る第１レバー体８７とから平面略Ｐの字形状に一体形成されたハンドルレバー形式とされる。前記第１基体部８３には、前記ベース部材５２の第１通孔５３ｂと対応する位置に、下方に突出する枢支軸８３ａが形成されて、ベース部材５２の第１通孔５３ｂに上側から枢支軸８３ａを挿通することで、該枢支軸８３ａを中心として第１開閉レバー部材８２を回動し得るようになっている。また、前記第１基体部８３には、前記第１ガイド孔５３ｃに対応する位置に、下方に突出する突起部(第２の突起部)８３ｂが形成されて、該第１ガイド孔５３ｃに対して上側から突起部８３ｂが挿通される。なお、実施例２では、前記第２の水平片部５３(受け片部５３ａ)における前記第１通孔５３ｂの前方に、前記第１開閉レバー部材６２および第２開閉レバー部材７０の回動方向に延在するよう前記第１ガイド孔５３ｃを形成してある。ここで、前記第１ガイド孔５３ｃおよび第３ガイド孔９１ａ(後述)は、前記第１開閉レバー部材８２の閉鎖位置および開放位置の間の変位に伴った突起部８３ｂの移動を許容するよう設けられている。
【００５２】
(第２開閉レバー部材について)
次に、前記第２開閉レバー部材９０の構成について説明する。第２開閉レバー部材９０は、図１３に示すように、前記ベース部材５２の受け片部５３ａの裏面側に対向する第２第２基体部９１と、該第２基体部９１に連設して指先操作し得る第２レバー体９５とから平面略Ｐの字形状に一体形成されたハンドルレバー形式とされる。前記第２基体部９１には、前記ベース部材５２の第１通孔５３ｂと対応する位置に、第２通孔(図示せず)が上下に貫通するよう形成されて、該第１通孔５３ｂに挿通させた枢支軸８３ａを前記第２の水平片部５３(受け片部５３ａ)の下面側において第２通孔の上側から挿通させることで、該枢支軸８３ａを中心として第２開閉レバー部材９０を回動し得るようになっている。
【００５３】
なお、実施例１と同様に、前記枢支軸８３ａには、前記第１および第２通孔５３ｂに挿通した状態において、前記第２開閉レバー部材９０(第２基体部９１)の下方からワッシャ４６を介してネジ４８が螺挿される(図１３参照)。ここで、前記ネジ４８(ワッシャ４６)は、前記枢支軸８３ａからの第２基体部９１(第２開閉レバー部材９０)の抜け止め、および第１および第２通孔５３ｂからの枢支軸８３ａ(第１開閉レバー部材８２)の抜け止めとして機能する部材であって、これにより第１開閉レバー部材８２および第２開閉レバー部材９０の夫々を、枢支軸８３ａを中心としてベース部材５２における第２の水平片部５３の上面側または下面側で回動し得るようになっている。
【００５４】
また、前記第２基体部９５には、前記ベース部材５２の第１ガイド孔５３ｃに対応する位置に、前記第１開閉レバー部材８２および第２開閉レバー部材９０の回動方向に延在する第３ガイド孔９１ａが上下に貫通するよう形成され、該第１ガイド孔５３ｃに挿通させた第１開閉レバー部材８２の突起部８３ｂが、この第３ガイド孔９１ａに挿通される。なお、前記第３ガイド孔９１ａは、第２開閉レバー部材９０の閉鎖位置において、前記第１ガイド孔５３ｃと略整合するようになっている。また、前記第３ガイド孔９１ａは、前記第２開閉レバー部材９０の閉鎖位置および開放位置の間の変位に伴った突起部８３ｂの移動を許容するよう設けられている。
【００５５】
実施例２に係るねじりバネ７８は、図１３に示すように、前記第２開閉レバー部材９０(第２基体部９１)の下面側において枢支軸８３ａに巻掛けられ、一方の端部を前記第２基体部９１の内壁面(第２の係止部)９１ｂに係止すると共に、他方の端部を前記突起部８３ｂに係止するよう配設されて、第１開閉レバー部材８２および第２開閉レバー部材９０の夫々を、相互に逆方向となる対応の閉鎖位置へ向けて付勢するようになっている。換言すると、これらガイド孔５３ｃ,９１ａや係止部９１ｂは、前記第１ガイド孔５３ｃおよび第３ガイド孔９１ａに挿通した突起部８３ｂと、第２基体部９１の内壁面９１ｂとの間にねじりバネ７８を係止した際に、第１開閉レバー部材８２および第２開閉レバー部材９０の夫々を相互に逆方向となる対応の閉鎖位置へ向けて付勢し得る位置関係となるよう適宜設けられる。なお、前記ねじりバネ７８は、前記ネジ４８(ワッシャ４６)により前記枢支軸７１ａから脱落することなく第２開閉レバー部材９０の下面側に保持される。
【００５６】
このように構成された実施例２に係る開閉連結装置８０を設けたパチンコ機１０であっても、実施例１に係る開閉連結装置５０を設けたパチンコ機１０と同様の作用効果を奏する。すなわち、中枠１２に対して前枠１３を組み付ける連結構造を、外枠１１に対して中枠１２を組み付ける連結構造と同様のロックレバー式にしたので、中枠１２に対する前枠１３の組み付けも簡単で、確実な組み付けが達成できる。また、前枠１３に設けられる第２上支軸４４を固定式とすることで、強度が増し、重量のある前枠１３を安定して支持することができる。更に、第１および第２開閉レバー部材８２,９０を閉鎖位置に付勢するねじりバネ７８および枢支軸８３ａを共通化したから、部品点数およびコストを低減し得ると共に、装置の小型化を図り得る。更にまた、第１開閉レバー部材８２に設けた第２の突起部８３ｂを、ベース部材５２に形成した第１ガイド孔５３ｃおよび第２開閉レバー部材９０に形成した第３ガイド孔９１ａに挿通して下方に突出するよう構成したから、ねじりバネ７８を第２開閉レバー部材９０の下面側に露出して配設することができ、メンテナンス性が向上する。
【００５７】
〔変更例〕
なお、開閉連結装置の構成としては、実施例のものに限らず、種々の変更が可能である。例えば、各実施例では、開閉連結装置におけるベース部材に第１軸受け部および第２軸受け部をカシメ付けにより強固に固定したが、ネジにより固定することもでき、また、第１軸受け部および第２軸受け部の何れか一方または両方を、ベース部材と一体的に形成することも可能である。
【００５８】
また、実施例では、付勢部材としてねじりバネを採用したが、これに限られるものではなく、第１開閉レバー部材の係止部および第２開閉レバー部材の突起部に係止することで、該第１開閉レバー部材および第２開閉レバー部材の夫々を、相互に逆方向となる対応の閉鎖位置へ向けて付勢し得るものであれば、引張りバネや圧縮バネ、弾性ゴム等を採用することもできる。
【００５９】
実施例では、ベース部材の第１ガイド孔を、第１開閉レバー部材および第２開閉レバー部材の回動方向に延在するよう形成したが、第２開閉レバー部材の突起部が挿入可能で、該突起部を挿通した状態において第２開閉レバー部材の閉鎖位置および開放位置の間の変位を許容し得るよう形成すれば、任意の形状に形成することができる。また、第１開閉レバー部材に第２ガイド孔を形成するタイプでは、第１開閉レバー部材および第２開閉レバー部材の回動方向に延在するよう第２ガイド孔を形成したが、突起部を挿入可能で、突起部を挿通した状態において第１開閉レバー部材の閉鎖位置および開放位置の間の変位を許容する任意の形状に形成することができる。同様に、第２開閉レバー部材に第３ガイド孔を形成するタイプにあっても、第３ガイド孔を、突起部を挿入可能で、突起部を挿通した状態において第２開閉レバー部材の閉鎖位置および開放位置の間の変位を許容する任意の形状に形成すればよい。
【００６０】
また、枢支軸や突起部(第２の突起部を含む)は、第１または第２開閉レバー部材に一体成形する構成に限らず、開閉レバー部材とは別部材とすることも可能である。
【００６１】
なお、実施例では、開閉連結装置をパチンコ機に採用した例を示したが、これに限られるものではなく、外枠に対して中枠を開閉および着脱可能に組み付けると共に、中枠に対して前枠を開閉および着脱可能に組み付けて遊技に供される遊技機であれば、従来公知の各種遊技機に好適に採用することができる。
【図面の簡単な説明】
【００６２】
【図１】本発明の実施例１に係るパチンコ機を示す正面図である。
【図２】実施例１に係るパチンコ機の外枠、中枠および前枠を示す分解図であって、外枠および中枠は正面から見た状態を示し、前枠は背面から見た状態を示す。
【図３】実施例１に係る上下の開閉連結手段および中間の開閉連結手段を示す要部拡大図である。
【図４】実施例１に係る開閉連結装置を中枠に取り付けた状態の要部を示す斜視図である。
【図５】実施例１に係る開閉連結装置を示す分解斜視図である。
【図６】実施例１に係る開閉連結装置を示す平面図であって、(a)は第１開閉レバー部材が閉鎖位置にある状態を示し、(b)は第１開閉レバー部材が開放位置にある状態を示す。
【図７】実施例１に係る開閉連結装置を底面側から見た状態を示す斜視図である。
【図８】実施例１に係る開閉連結装置を示す底面図であって、(a)は第２開閉レバー部材が閉鎖位置にある状態を示し、(b)は第２開閉レバー部材が開放位置にある状態を示す。
【図９】実施例１に係る上側の開閉連結手段の組み付け状態を示す説明図であって、(a)は第１開閉レバー部材の第１案内面に第１上支軸を位置合わせした状態を示し、(b)は第１上支軸を第１案内面に押圧して第１開閉レバー部材が閉鎖位置から開放位置に変位した状態を示し、(c)は第１上支軸が第１上軸孔に挿入されて第１開閉レバー部材が閉鎖位置に復帰した状態を示す。
【図１０】実施例１に係る上側の開閉連結手段の組み付け状態を開閉連結装置の底面側から見た状態において示す説明図であって、(a)は第２開閉レバー部材の第２案内面に第２上支軸を位置合わせした状態を示し、(b)は第２上支軸を第２案内面に押圧して第２開閉レバー部材が閉鎖位置から開放位置に変位した状態を示し、(c)は第２上支軸が第２上軸孔に挿入されて第２開閉レバー部材が閉鎖位置に復帰した状態を示す。
【図１１】実施例１に係る上側の開閉連結手段において、外枠に対する中枠の組み付け組み外しが可能な方向を平面状態で示す説明図である。
【図１２】実施例２に係る開閉連結装置を示す平面図である。
【図１３】実施例２に係る開閉連結装置を示す底面図である。
【符号の説明】
【００６３】
１１  外枠
１２  中枠
１３  前枠
４２  第１上支軸(第１支軸)
４４  第２上支軸(第２支軸)
５２  ベース部材
５３ｃ  第１ガイド孔
５６  第１軸受け部
５７  第１上軸孔(第１軸孔)
５７ａ  後方開口
５８  第２軸受け部
５９  第２上軸孔(第２軸孔)
５９ａ  後方開口
６２  第１開閉レバー部材
６３ｂ  第２ガイド孔
６３ｃ  第１基体部の内壁面(係止部)
６５  第１案内面
６８  第１軸受入口
７０  第２開閉レバー部材
７１ａ  枢支軸
７１ｂ  突起部
７３  第２案内面
７６  第２軸受入口
７８  ねじりバネ(付勢部材)
８２  第１開閉レバー部材
８３ａ  枢支軸
８３ｂ  第２の突起部
９０  第２開閉レバー部材
９１ｃ  第２基体部の内壁面(第２の係止部)
９３ｂ  第３ガイド孔
【図１】
0004817940.tif 000002
【図２】
0004817940.tif 000003
【図３】
0004817940.tif 000004
【図４】
0004817940.tif 000005
【図５】
0004817940.tif 000006
【図６】
0004817940.tif 000007
【図７】
0004817940.tif 000008
【図８】
0004817940.tif 000009
【図９】
0004817940.tif 000010
【図１０】
0004817940.tif 000011
【図１１】
0004817940.tif 000012
【図１２】
0004817940.tif 000013
【図１３】
0004817940.tif 000014